(57)【要約】【課題】パッドの剛性を損なうことなく、鳴きや異音を抑制し得ると共に、ジャダーの発生を防止することができるディスクブレーキパッドを提供する。【解決手段】摩擦材１の摩擦面に２本の溝３Ａ，３Ｂを備え、両溝３Ａ，３Ｂが、ディスクロータＤＲの回転に対応する方向を摩擦材１の横幅方向として、その横幅中心Ｃの左右に配置してあり、横幅寸法をＬとしたときに、少なくとも一方の溝が横幅中心ＣからＬ／４の位置Ａよりも外側に設けてあり、一方及び他方の溝の間隔をＬ／２よりも大きくし、摩擦材１とディスクロータＤＲとが対向した状態で、各溝３Ａ，３Ｂが冷却用フィンＦに対して交差する方向に沿って形成してあるディスクブレーキパッドＰ１とし、剛性を維持しつつ鳴きや異音の抑制及びジャダーの防止を実現した。【選択図】  図１
2007024286.tif 000002
【特許請求の範囲】
【請求項１】
自動車用ディスクブレーキのディスクブレーキパッドであって、摩擦材の摩擦面に２本の溝を備え、両溝が、ディスクロータの回転に対応する方向を摩擦材の横幅方向として、その横幅中心の左右に配置してあると共に、横幅寸法をＬとしたときに、少なくとも一方の溝が横幅中心からＬ／４の位置よりも外側に設けてあり、且つ一方及び他方の溝の間隔をＬ／２よりも大きくすると共に、摩擦材とディスクロータとが対向した状態において、各溝がディスクロータの冷却用フィンに対して交差する方向に沿って形成してあることを特徴とするディスクブレーキパッド。
【請求項２】
各溝が、摩擦材の横幅方向に対して９０度から４５度の範囲の角度に沿って形成してあることを特徴とする請求項１に記載のディスクブレーキパッド。
【請求項３】
各溝の少なくとも一部が、キャリパーにおける爪に対応する範囲と重なっていることを特徴とする請求項１又は２に記載のディスクブレーキパッド。
【請求項４】
各溝の少なくとも一部が、キャリパーにおけるピストンに対応する範囲と重なっていることを特徴とする請求項１〜３のいずれか１項に記載のディスクブレーキパッド。
【請求項５】
両溝が、摩擦材の横幅中心に対して左右対称に設けてあることを特徴とする請求項１〜４のいずれか１項に記載のディスクブレーキパッド。
【請求項６】
両溝が、互いに平行で且つ摩擦材の横幅方向に対して直交する方向に沿って形成してあることを特徴とする請求項１〜５のいずれか１項に記載のディスクブレーキパッド。
【請求項７】
各溝の深さが、摩擦材の厚さをｔとして、ｔ−２ｍｍ以下であることを特徴とする請求項１〜６のいずれか１項に記載のディスクブレーキパッド。
【発明の詳細な説明】
【技術分野】
【０００１】
本発明は、自動車用ディスクブレーキに用いられるディスクブレーキパッドの改良に関するものである。
【背景技術】
【０００２】
自動車のブレーキは、ブレーキロータとブレーキライニングとの接触で摩擦熱を発生させ、自動車の運動エネルギーを熱エネルギーに変換するものである。その中でも、ディスクブレーキは、制動特性が優れていることから、自動車用ブレーキのほかに産業機械用ブレーキとしても広く用いられており、また、ディスクブレーキパッドの摩擦材として非石綿系の材料が用いられていることも周知である。
【０００３】
ディスクブレーキは、基本性能である効きの安定性、強度及び耐久性に関しては、充分な技術水準に達していると言えるが、運転者がブレーキペダルを踏んで制動状態をコントロールする際に、より意のままに操れるようにするためには、ブレーキペダルの踏力が軽く、ペダルストロークが短いことが望まれている。このブレーキペダルの踏力をより軽くするには、ディスクブレーキパッドの摩擦係数を高める必要がある。
【０００４】
一方、自動車用ディスクブレーキにおいて、制動時に発生する鳴き（１〜十数ＫＨｚのスキール音）や異音（約５０〜３００Ｈｚのグローン音）は、運転者などに不快感を与える場合がある。このような鳴きや異音は、摩擦による自励振動が音として伝達したものであり、ディスクブレーキパッドの摩擦係数が高いと発生し易く、また、摩擦係数（μ）の速度（Ｖ）に対する低下量（μ−Ｖ負勾配）が大きいと車両の停止直前等に発生し易いことが判っている。
【０００５】
さらに、ディスクロータの部分的な摩耗で生じた強制振動がハンドルやフロアを振動させるジャダーにあっても、運転者等に不快感を与える場合がある。そして、ジャダーの直接的な原因であるディスクロータの部分的な摩耗は、ブレーキディスクパッドの摩擦係数を高めた場合に生じやすいことが判っている。
【０００６】
このように、ディスクブレーキは、基本性能は充分であるものの、制動時における高周波の鳴きや低周波の異音等のノイズに関しては、未だ改善の余地があった。
【０００７】
そこで、従来のディスクブレーキにあっては、ノイズの発生を防止するために、ディスクブレーキパッドとディスクロータとの界面において摩擦時に発生する振動が共振しないように、若しくは共振しても大きな振動エネルギにならないようにする対策が提案されていた。
【０００８】
具体的には、例えば、ディスクブレーキパッドの摩擦面に斜めの溝を１本形成し、これにより制動時の振動モードを変化させてノイズを低減するもの（特許文献１）や、ディスクブレーキパッドの摩擦面に３本以上の溝を配置し、これによりノイズの防止や熱フェード及びウォーターフェード対策を図ったもの（特許文献２）があった。
【特許文献１】実開昭６１−１６０３３３号公報
【特許文献２】特開２０００−１４５８４８号公報
【発明の開示】
【発明が解決しようとする課題】
【０００９】
しかしながら、上記したような従来のディスクブレーキパッドにあっては、摩擦面に溝を形成することで、ノイズの低減などを実現し得るものの、その効果が必ずしも充分なものではなく、また、溝の数を多くするとパッドの剛性が損なわれる恐れがあることから、さらなる改良が望まれていた。
【００１０】
本発明は、上記従来の状況に鑑みて成されたものであって、パッドの剛性を損なうことなく、鳴きや異音を抑制し得ると共に、ジャダーの発生を防止することができるディスクブレーキパッドを提供することを目的としている。
【課題を解決するための手段】
【００１１】
本発明のディスクブレーキパッドは、自動車用ディスクブレーキのディスクブレーキパッドであって、摩擦材の摩擦面に２本の溝を備えている。このとき、両溝は、ディスクロータの回転に対応する方向を摩擦材の横幅方向として、その横幅中心の左右に配置してあると共に、横幅寸法をＬとしたときに、少なくとも一方の溝が横幅中心からＬ／４の位置よりも外側に設けてあり、且つ一方及び他方の溝の間隔をＬ／２よりも大きいものとしている。
【００１２】
そしてさらに、各溝は、摩擦材とディスクロータとが対向した状態において、ディスクロータの冷却用フィンすなわちベンチレーテッド型ディスクロータの冷却用フィンに対して交差する方向に沿って形成してあり、各溝と冷却用フィンとが完全に重なる状態にならないものとしている。
【発明の効果】
【００１３】
本発明のディスクブレーキパッドによれば、摩擦材における２本の溝の配置を規定することで、パッドの一次曲げ剛性を高めることができ、固有振動数を大きくすることが可能になると共に、パッドのそりによる面圧分布の偏りも少なくなり、制動中のトルク変動を小さくすることができる。
【００１４】
これにより、制動時の停止直前に発生するパッドの自励振動、自励振動により発生する鳴き、及びディスクロータにおいて冷却用フィンの有る部分と無い部分の熱膨張差による厚みの差にパッドが共振することで発生する異音を大幅に抑制することができると共に、パッドの不均一な当たりにより発生するジャダーを防止することが可能となり、さらに、溝により、摩擦材の摩耗粉を除去することができる。
【発明を実施するための最良の形態】
【００１５】
図１及び図２は本発明のディスクブレーキパッドの一実施形態を示す図である。
【００１６】
図１に示すディスクブレーキパッドＰ１は、非石綿系の摩擦材１とバックプレート（ベースプレート）２から成るものであって、図示しないキャリパーにおいて、図２に示すベンチレーテッド型ディスクロータＤＲの両面に対向する状態に装着され、制動時には、キャリパーにおけるピストンにより押圧されてディスクロータＤＲを挟持する。
【００１７】
上記のディスクブレーキパッドＰ１は、摩擦材１の摩擦面に２本の溝３Ａ，３Ｂを備えている。両溝３Ａ，３Ｂは、ディスクロータＤＲの回転に対応する方向（図１中で左右方向）を摩擦材１の横幅方向として、その横幅中心Ｃの左右に対象的に配置してあって、横幅寸法をＬとしたときに、横幅中心Ｃから左右夫々にＬ／４の位置Ａ，Ａよりも外側に設けてあると共に、双方の間隔をＬ／２よりも大きくしている。
【００１８】
両溝３Ａ，３Ｂは、摩擦材１に対して機械加工により形成することができ、少なくとも一方の溝を横幅中心ＣからＬ／４の位置Ａよりも外側に設けて、一方及び他方の溝の間隔をＬ／２よりも大きくしても良いが、この場合は、横幅中心Ｃに対して左右対称の配置ではなくなる。
【００１９】
また、両溝３Ａ，３Ｂは、図２に示すように、摩擦材１とディスクロータＤＲとが対向した状態において、ディスクロータＤＲに放射状に形成した冷却用フィンＦに対して交差する方向に沿って形成、すなわち各溝３Ａ，３Ｂと冷却用フィンＦとが完全に重なる状態にならないように形成してある。
【００２０】
このとき、両溝３Ａ，３Ｂは、望ましくは、摩擦材１の横幅方向に対して９０度から４５度の範囲の角度に沿って形成するのが良く、図示の実施形態では、互いに平行で且つ摩擦材１の横幅方向に対して直交する方向、すなわち摩擦材１の横幅方向に対して９０度を成す配置になっている。
【００２１】
さらに、両溝３Ａ，３Ｂは、摩擦材１の厚さ（一般的に７〜２０ｍｍ程度）をｔとしたときに、その深さＤをｔ−２ｍｍ以下としている。この溝３Ａ，３Ｂの深さＤは、摩擦材１の厚さｔと同等にして、バックプレート２が溝底面となるようにしても良いが、摩擦面に堆積した摩耗粉の除去が摩擦材１の摩耗限界付近まで必要であること、本発明は摩擦面の面圧分布を分散させて、高周波の鳴き等を抑制することを目的としていること、摩擦材１が摩耗するに従ってパッドが振動しなくなることから、摩擦材１の摩耗限界付近であるｔ−２ｍｍ以下としている。
【００２２】
このように、溝３Ａ，３Ｂの深さＤを摩擦材１の摩耗限界付近であるｔ−２ｍｍ以下とすることにより、摩耗粉の除去機能や鳴き抑制の機能を摩擦材１の寿命まで良好に維持することができる。
【００２３】
上記のディスクブレーキパッドＰ１は、摩擦材１に２本の溝３Ａ，３Ｂを形成し、とくに、少なくとも一方の溝を摩擦材１の横幅中心ＣからＬ／４の位置Ａよりも外側に設けると共に、両溝３Ａ，３Ｂの間隔をＬ／２よりも大きくしたことにより、１本の溝を設けたもの、２本の溝を設け且つその間隔をＬ／２以下としたもの、及び３本又はそれ以上の溝を設けたものと比べて、パッドの一次曲げ剛性を高めることができ、固有振動数を大きくして高周波の鳴きを抑制することができる。
【００２４】
また、上記のディスクブレーキパッドＰ１は、上記構成とすることで、制動中の摩擦熱で発生するパッドのそりによる面圧分布の偏りも小さくなり、これによっても高周波の鳴きを抑制することができ、なお且つ制動中のトルク変動を小さくし得ると共に、パッドの不均一な当たりにより発生するジャダーを防止することができる。
【００２５】
さらに、上記のディスクブレーキパッドＰ１は、摩擦材１とディスクロータＤＲとが対向した状態において、各溝３Ａ，３Ｂが、ディスクロータＤＲの冷却用フィンＦに対して交差する方向に沿って形成してあることから、制動時に発生するパッドとディスクロータＤＲの自励振動の同期、例えばディスクロータＤＲにおいて冷却用フィンＦの有る部分と無い部分の熱膨張差による厚みの差にパッドが共振することを抑制し、その振動が発生原因となる低周波の異音を大幅に抑制することができる。
【００２６】
さらに、上記のディスクブレーキパッドＰ１は、摩擦材１の横幅中心Ｃに対して２本の溝３Ａ，３Ｂを互いに平行に且つ左右対称に配置したことで、構造上の左右差が無くなってディスクロータＤＲに対して左右均一に当接することとなり、これにより面圧分布の偏りがより一層小さいものとなり、制動時の停止直前に発生するパッドの自励振動、及び自励振動により発生する鳴きを抑制する効果や、パッドの不均一な当たりにより発生するジャダーを防止する効果をより一層高めることができる。
【００２７】
さらに、上記の如く、摩擦材１の横幅中心Ｃに対して２本の溝３Ａ，３Ｂを互いに平行に且つ左右対称に配置したことで、同一の加工ラインで左右の溝３Ａ，３Ｂを容易に形成することができ、作業性や生産性の向上を図ることができる。
【００２８】
さらに、上記のディスクブレーキパッドＰ１は、先述したように、溝３Ａ，３Ｂによって摩擦材１の摩耗粉を除去することができ、この摩耗粉が低周波の異音の原因でもあることから、この摩耗粉の除去機能を有することで低周波異音をより一層抑制し得るものとなる。
【００２９】
図３及び図４は、本発明のディスクブレーキパッドの他の実施形態を示す図である。
【００３０】
図示のディスクブレーキパッドＰ２は、摩擦材１の摩擦面に２本の溝３Ａ，３Ｂが形成してあると共に、各溝３Ａ，３Ｂの少なくとも一部が、キャリパーにおけるピストンＰｔに対応する範囲と重なっている。
【００３１】
この実施形態における２本の溝３Ａ，３Ｂは、摩擦材１の横幅中心Ｃに対して左右対象に配置してあると共に、互いの上端部同士を接近させた状態に内向き傾斜したものとなっており、その大部分が横幅中心Ｃから左右夫々にＬ／４の位置Ａ，Ａよりも外側に設けてあると共に、少なくとも双方の下端部同士の間隔をＬ／２よりも大きくしている。
【００３２】
また、摩擦材１とディスクロータとが対向した状態において、各溝３Ａ，３Ｂがディスクロータの冷却用フィン（図２参照）に対して交差する方向に沿って形成してある。このとき、各溝３Ａ，３Ｂの傾斜角度は、横幅方向に対して９０度から４５度の範囲の角度である。
【００３３】
上記のディスクブレーキパッドＰ２にあっても、先の実施形態と同様の効果を得ることができ、とくに、各溝３Ａ，３Ｂの少なくとも一部をピストンＰｔに対応する範囲と重ねた構成とすることで、溝３Ａ，３Ｂにより摩擦面が三分割された摩擦材１をピストンＰｔで押圧して、面圧分布の偏りを効果的に緩和することができる。
【００３４】
これにより、ディスクブレーキパッドＰ２は、ディスクロータに偏り無く当接することとなり、パッドの自励振動、自励振動により発生する高周波の鳴き、及びパッドの不均一な当たりにより発生するジャダーを抑制することができる。
【００３５】
図５は、本発明のディスクブレーキパッドのさらに他の実施形態を示す図である。
【００３６】
図示のディスクブレーキパッドＰ３は、摩擦材１の摩擦面に２本の溝３Ａ，３Ｂが形成してあると共に、各溝３Ａ，３Ｂの少なくとも一部が、キャリパーにおけるピストンＰｔに対応する範囲と重なっている。
【００３７】
この実施形態における２本の溝３Ａ，３Ｂは、摩擦材１の横幅中心Ｃに対して左右対象に配置してあると共に、互いに平行で且つ横幅方向に対して直角に配置したものとなっており、横幅中心Ｃから左右夫々にＬ／４の位置Ａ，Ａよりも外側に設けてあると共に、双方の間隔をＬ／２よりも大きくしており、さらに、摩擦材１とディスクロータとが対向した状態において、各溝３Ａ，３Ｂがディスクロータの冷却用フィン（図２参照）に対して交差する方向に沿って形成してある。
【００３８】
上記のディスクブレーキパッドＰ３にあっても、先の実施形態と同様の効果を得ることができ、とくに、各溝３Ａ，３Ｂの少なくとも一部をピストンＰｔに対応する範囲と重ねた構成とすることで、溝３Ａ，３Ｂにより摩擦面が三分割された摩擦材１をピストンＰｔで押圧して、面圧分布の偏りを効果的に緩和することができる。
【００３９】
これにより、ディスクブレーキパッドＰ３は、ディスクロータに偏り無く当接することとなり、パッドの自励振動、自励振動により発生する高周波の鳴き、及びパッドの不均一な当たりにより発生するジャダーを抑制することができる。
【００４０】
図６は、本発明のディスクブレーキパッドのさらに他の実施形態を示す図である。
【００４１】
図示のディスクブレーキパッドＰ４は、摩擦材１の摩擦面に２本の溝３Ａ，３Ｂが形成してあると共に、各溝３Ａ，３Ｂの少なくとも一部が、キャリパーにおける爪Ｃｒに対応する範囲と重なっている。
【００４２】
この実施形態における２本の溝３Ａ，３Ｂは、摩擦材１の横幅中心Ｃに対して左右対象に配置してあると共に、互いの上端部同士を接近させた状態に内向き傾斜したものとなっており、その大部分が横幅中心Ｃから左右夫々にＬ／４の位置Ａ，Ａよりも外側に設けてあると共に、少なくとも双方の下端部同士の間隔をＬ／２よりも大きくしている。
【００４３】
また、摩擦材１とディスクロータとが対向した状態において、各溝３Ａ，３Ｂがディスクロータの冷却用フィン（図２参照）に対して交差する方向に沿って形成してある。このとき、各溝３Ａ，３Ｂの傾斜角度は、横幅方向に対して９０度から４５度の範囲の角度である。
【００４４】
上記のディスクブレーキパッドＰ４にあっても、先の実施形態と同様の効果を得ることができ、とくに、各溝３Ａ，３Ｂの少なくとも一部をキャリパーの爪Ｃｒに対応する範囲と重ねた構成とすることで、溝３Ａ，３Ｂにより摩擦面が三分割された摩擦材１をキャリパーの爪Ｃｒで押圧して、面圧分布の偏りを効果的に緩和することができる。
【００４５】
また、各溝３Ａ，３Ｂを横幅方向に対して傾斜した状態に設けたことにより、キャリパーの爪Ｃｒに対応する範囲と重なる面積が大きくなり、摩擦面が三分割された摩擦材１をキャリパーの爪Ｃｒでより効果的に押圧して面圧分布の偏りをより一層緩和し得る。
【００４６】
これにより、ディスクブレーキパッドＰ４は、ディスクロータに偏り無く当接することとなり、パッドの自励振動、自励振動により発生する高周波の鳴き、及びパッドの不均一な当たりにより発生するジャダーを抑制することができる。
【００４７】
図７は、本発明のディスクブレーキパッドのさらに他の実施形態を示す図である。
【００４８】
図示のディスクブレーキパッドＰ５は、摩擦材１の摩擦面に２本の溝３Ａ，３Ｂが形成してあると共に、各溝３Ａ，３Ｂの少なくとも一部が、キャリパーにおける爪Ｃｒに対応する範囲と重なっている。
【００４９】
この実施形態における２本の溝３Ａ，３Ｂは、摩擦材１の横幅中心Ｃに対して左右対象に配置してあると共に、互いに平行で且つ横幅方向に対して直角に配置したものとなっており、横幅中心Ｃから左右夫々にＬ／４の位置Ａ，Ａよりも外側に設けてあると共に、双方の間隔をＬ／２よりも大きくしており、さらに、摩擦材１とディスクロータとが対向した状態において、各溝３Ａ，３Ｂがディスクロータの冷却用フィン（図２参照）に対して交差する方向に沿って形成してある。
【００５０】
上記のディスクブレーキパッドＰ５にあっても、先の実施形態と同様の効果を得ることができ、とくに、各溝３Ａ，３Ｂの少なくとも一部をキャリパーの爪Ｃｒに対応する範囲と重ねた構成とすることで、溝３Ａ，３Ｂにより摩擦面が三分割された摩擦材１をキャリパーの爪Ｃｒで押圧して、面圧分布の偏りを効果的に緩和することができる。
【００５１】
これにより、ディスクブレーキパッドＰ５は、ディスクロータに偏り無く当接することとなり、パッドの自励振動、自励振動により発生する高周波の鳴き、及びパッドの不均一な当たりにより発生するジャダーを抑制することができる。
【００５２】
図８は、本発明のディスクブレーキパッドのさらに他の実施形態を示す図である。
【００５３】
図示のディスクブレーキパッドＰ６は、摩擦材１の摩擦面に２本の溝３Ａ，３Ｂが形成してあると共に、各溝３Ａ，３Ｂの少なくとも一部が、キャリパーにおける爪Ｃｒに対応する範囲と重なっている。
【００５４】
この実施形態における２本の溝３Ａ，３Ｂは、摩擦材１の横幅中心Ｃに対して左右対象に配置してあると共に、互いの下端部同士を接近させた状態に外向き傾斜したものとなっており、その大部分が横幅中心Ｃから左右夫々にＬ／４の位置Ａ，Ａよりも外側に設けてあると共に、少なくとも双方の上端部同士の間隔をＬ／２よりも大きくしている。
【００５５】
また、摩擦材１とディスクロータとが対向した状態において、各溝３Ａ，３Ｂがディスクロータの冷却用フィン（図２参照）に対して交差する方向に沿って形成してある。このとき、各溝３Ａ，３Ｂの傾斜角度は、横幅方向に対して９０度から４５度の範囲の角度である。
【００５６】
上記のディスクブレーキパッドＰ６にあっても、先の実施形態と同様の効果を得ることができ、とくに、各溝３Ａ，３Ｂの少なくとも一部をキャリパーの爪Ｃｒに対応する範囲と重ねた構成とすることで、溝３Ａ，３Ｂにより摩擦面が三分割された摩擦材１をキャリパーの爪Ｃｒで押圧して、面圧分布の偏りを効果的に緩和することができる。
【００５７】
また、各溝３Ａ，３Ｂを横幅方向に対して傾斜した状態に設けたことにより、キャリパーの爪Ｃｒに対応する範囲と重なる面積が大きくなり、摩擦面が三分割された摩擦材１をキャリパーの爪Ｃｒでより効果的に押圧して面圧分布の偏りをより一層緩和し得る。
【００５８】
これにより、ディスクブレーキパッドＰ６は、ディスクロータに偏り無く当接することとなり、パッドの自励振動、自励振動により発生する高周波の鳴き、及びパッドの不均一な当たりにより発生するジャダーを抑制することができる。
【００５９】
なお、本発明のディスクブレーキパッドは、その構成の細部が上述した各実施形態に限定されるものではなく、特性が異なる摩擦材を使用した場合でも同様の効果を得ることができ、具体的には、例えば非石綿系の摩擦材を用いたパッドのほか、ロールスチールの摩擦材を用いたパッドであっても同様の効果が得られる。
【００６０】
また、上記各実施形態では、シングルピストンを使用したディスクブレーキ用のディスクブレーキパッドを例示したが、ツインピストンを使用したディスクブレーキや、浮動型や固定型のキャリパーを使用したディスクブレーキ等にも当然適用可能である。
【実施例】
【００６１】
実施例１として、図１に示すディスクブレーキパッドパッドＰ１を作製した。この際、摩擦材１の横幅寸法Ｌは１３８ｍｍであり、両溝３Ａ，３Ｂは、互いに平行で、横幅中心Ｃの左右夫々にＬ／４の位置Ａ，Ａよりも外側とし、その間隔をＬ／２よりも大きい８０ｍｍ（Ｌ／２＜）とした。
【００６２】
また、比較例１として、図９に示すように、両溝３Ａ，３Ｂの間隔をＬ／２よりも小さい５０ｍｍ（Ｌ／２＞）としたディスクブレーキパッドＰ１１を、比較例２として、図１０に示すように、横幅中心Ｃに１本の溝３Ｃを形成したディスクブレーキパッドＰ１２を、比較例３として、図１１に示すように、横幅中心Ｃとその左右に合計３本の溝３Ａ，３Ｂ，３Ｃを互いに平行に形成したディスクブレーキパッドＰ１３を作製した。
【００６３】
そして、上記の実施例１及び比較例１〜３のパッドについて固有振動数を調べた。その結果を表１に示す。
【００６４】
【表１】
2007024286.tif 000003
【００６５】
表１から明らかなように、実施例１のディスクブレーキパッドは、比較例１〜３のものと比較して、摩擦材表面の中心部分の剛性が高くなり、そのため一次曲げの固有振動数が高くなる結果となり、このことから、制動時に発生する高周波の鳴きに対して抑制効果があることを確認した。
【００６６】
実施例１のディスクブレーキパッドＰ１のほか、実施例２として、図５に示すディスクブレーキパッドＰ３を、実施例３として、図７に示すディスクブレーキパッドＰ５を、実施例４として、図８に示すディスクブレーキパッドＰ６を作製した。各パッドにおける溝の間隔、角度及び深さを表２に示す。また、先の比較例１〜３のパッドＰ１１〜Ｐ１３における溝の配置及び深さを表３に示す。
【００６７】
【表２】
2007024286.tif 000004
【００６８】
【表３】
2007024286.tif 000005
【００６９】
そして、上記の実施例１〜４及び比較例１〜３の各パッドについて、鳴きダイナモメータ試験機を用いて鳴き評価試験を実施した。この試験では、ＪＡＳＯブレーキ鳴き試験機と、浮動型ディスクブレーキを使用し、キャリパーのインナー側とアウター側に、各実施例１〜４及び比較例１〜３のパッドを組合わせて装着して、各組合せ毎に実施した。そのパッドの組合せと試験結果を表４に示す。
【００７０】
【表４】
2007024286.tif 000006
【００７１】
表４から明らかなように、試験Ｎｏ．１及び４は、インナー側（ピストン側）とアウター側（爪側）に本発明の同じ実施例のパッドを用いたものであり、高周波の鳴きの発生率が低い結果となった。また、試験Ｎｏ．２及び３は、インナー側とアウター側に本発明の異なる実施例のパッドを用いたものであり、同様に高周波の鳴きの発生率が低い結果となった。
【００７２】
ただし、インナー側とアウター側に溝の角度が異なるパッドを用いた場合には、溝の角度が同じであるパッドを用いた場合に比べて、高周波の鳴きの発生率が若干高くなることを確認した。
【００７３】
これらの本発明の実施例のパッドを用いた試験に対して、インナー側とアウター側に比較例のパッドを用いた試験Ｎｏ．５〜７、及びインナー側に比較例のパッドを用いるとともにアウター側に実施例のパッドを用いた試験Ｎｏ．８では、高周波の鳴きの発生率が明らかに高いことを確認した。
【００７４】
また、各試験において、溝の深さを変えた場合、鳴き発生率への影響は少ないことが判った。つまり、高周波の鳴きを抑制するには、溝の深さよりも溝の配置が重要であることを確認した。
【００７５】
次に、実施例１、比較例１及び２のディスクブレーキパッドについて、ブレーキダイナモ試験機にて、ブレーキ制動時のトルク変動を測定した。試験は、イナーシャＩ＝１４Ｋｇｆ・ｍ・ｓｅｃ−２でパッドとディスクロータを２００回擦り合せた後、下記試験条件の組合せを実施し、２サイクル繰り返し制動後のトルク変動を測定した。
【００７６】
＜試験条件＞
初速    ：１６０ｋｍ／ｈ
制動温度：３０，１００，５０，２００，２５０℃
減速度  ：２．９ｍ／ｓ−２，３．９ｍ／ｓ−２
制動回数：２回（制動温度３０℃），３回（その他の制動温度）
測定結果を表５に示す。
【００７７】
【表５】
2007024286.tif 000007
【００７８】
表５から明らかなように、実施例１のディスクブレーキパッドは、各条件においてトルク変動の値が小さいものとなっており、これに対して、比較例１及び２のディスクブレーキパッドは、トルク変動の値が大きいことを確認した。
【００７９】
つまり、本発明の実施例１のディスクブレーキパッドは、溝の位置を規定通りに設けたことでパッドの面圧分布の偏りを緩和することができ、これによりブレーキ制動中のトルク変動が小さくなる。そして、上記の測定結果は、本発明のディスクブレーキパッドの効果、すなわちトルク変動により発生するステアリング振動や車体振動を小さくすることができ、制動時に発生するジャダーを抑制し得ることを裏付けるものとなった。
【図面の簡単な説明】
【００８０】
【図１】本発明のブレーキディスクパッドの一実施形態を説明する正面図（ａ）及び底面図（ｂ）である。
【図２】図１に示すブレーキディスクパッド及びディスクロータの冷却用フィンを説明する正面図である。
【図３】本発明のブレーキディスクパッドの他の実施形態を説明する正面図である。
【図４】図３に示すブレーキディスクパッドの底面図（ｂ）である。
【図５】本発明のブレーキディスクパッドのさらに他の実施形態を説明する正面図である。
【図６】本発明のブレーキディスクパッドのさらに他の実施形態を説明する正面図である。
【図７】本発明のブレーキディスクパッドのさらに他の実施形態を説明する正面図である。
【図８】本発明のブレーキディスクパッドのさらに他の実施形態を説明する正面図である。
【図９】比較例１のブレーキディスクパッドを説明する正面図である。
【図１０】比較例２のブレーキディスクパッドを説明する正面図である。
【図１１】比較例３のブレーキディスクパッドを説明する正面図である。
【符号の説明】
【００８１】
１          摩擦材
２          バックプレート
３Ａ        一方の溝
３Ｂ        他方の溝
Ｃｒ        キャリパーの爪
ＤＲ        ディスクロータ
Ｆ          冷却用フィン
Ｐ１〜Ｐ６  ディスクブレーキパッド
Ｐｔ        キャリパーのピストン
【図１】
2007024286.tif 000008
【図２】
2007024286.tif 000009
【図３】
2007024286.tif 000010
【図４】
2007024286.tif 000011
【図５】
2007024286.tif 000012
【図６】
2007024286.tif 000013
【図７】
2007024286.tif 000014
【図８】
2007024286.tif 000015
【図９】
2007024286.tif 000016
【図１０】
2007024286.tif 000017
【図１１】
2007024286.tif 000018